(57)【要約】      （修正有）【課題】素振り時に振動、衝撃を軽減したソフトな感触の素振り練習器を提供する。【解決手段】シャフト２と、前記シャフト２の基端部に設けられたグリップ４と、前記シャフト２の先端部側に固着された被打撃部材１と、前記シャフト２にその軸方向に移動可能に設けられた打撃部材３とを有し、前記グリップ４を握った素振りにより前記打撃部材３が前記シャフト２の軸に沿って先端方向に移動し前記被打撃部材１に衝突することで、実際にボールを打ったときなどの衝撃力、打撃音、感触、臨場感を体感できる素振り練習器にＡおいて、前記被打撃部材１の外周に凹みを１つ以上形成する。【選択図】図１
2011024964.tif 000002
【特許請求の範囲】
【請求項１】
シャフトと、前記シャフトの基端部に設けられたグリップと、前記シャフトの先端部側に固着された被打撃部材と、前記シャフトにその軸方向に移動可能に設けられた打撃部材とを有し、前記グリップを握った素振りにより前記打撃部材が前記シャフトの軸に沿って先端方向に移動し前記被打撃部材に衝突することで、実際にボールを打ったときなどの衝撃力、打撃音、感触、臨場感を体感できる素振り練習器において、
前記被打撃部材の外周に凹みを１つ以上形成することを特徴とする素振り練習器用被打撃部材。
【請求項２】
前記被打撃部材の底部の直径を最小に形成し、前記先端部材の軸方向底部から上部側にかけて側面が円孤状になるように凹みを形成することを特徴とする請求項１に記載の素振り練習器用被打撃部材。
【発明の詳細な説明】
【技術分野】
【０００１】  本発明は、野球、ゴルフ、テニス、バドミントンなど打撃用具を使用してボールを打撃する球技の素振り練習をするため、あるいは運動不足解消のため、誰でもどこでも使用できる素振り用練習器に関するものである。
【背景技術】
【０００２】  従来、ボールを打ったときの衝撃力や衝撃音、臨場感を得ながら素振りをするトレーニングバットがあった（例えば特許文献１）。
【先行技術文献】
【特許文献】
【０００３】
【特許文献１】  特開平８−２４３８６号広報
【発明の概要】
【発明が解決しようとする課題】
【０００４】  前記特許文献１に記載の素振り用練習器は、実際にボールを打った時の衝撃力、打撃音、感触、臨場感を味わいながら筋力増強やヘッドスピードの強化を行うことができるが、素振りのスピードが早ければ早いほど打撃部材が被打撃部材に衝突した際の手に伝わる振動が大きく、且つ打撃音も大きかった。【０００５】  そこで、誰が素振りをしても衝撃力、打撃音、手に伝わる感触がソフトになるような素振り練習器が求められていた。【０００６】  本発明は、前述した特許文献の素振り用練習器の問題点を考慮し、誰でも快適な衝撃力と振動、打撃音を体感しながら素振り練習ができる素振り練習器を提供することを目的とする。
【課題を解決するための手段】
【０００７】  上記目的を達成するために、請求項１に記載の本発明は、シャフトと、前記シャフトの基端部に設けられたグリップと、前記シャフトの先端部側に固着された被打撃部材と、前記シャフトにその軸方向に移動可能に設けられた打撃部材とを有し、前記グリップを握った素振りにより前記打撃部材が前記シャフトの軸に沿って先端方向に移動し前記被打撃部材に衝突することで、実際にボールを打ったときなどの衝撃力、打撃音、感触、臨場感を体感できる素振り練習器において、
前記被打撃部材の外周に凹みを１つ以上形成することを特徴とする。【０００８】  請求項２に記載の本発明は、前記被打撃部材の底部の外周を最小に形成し、前記被打撃部材の軸方向底部から上部側にかけて側面が円孤状になるように凹みを形成することを特徴とする。
【発明の効果】
【０００９】  請求項１に記載の素振り練習器は、打撃部材が被打撃部材に衝突した際に発生する振動を減衰させることができ、素振りの際に手に伝わる振動が軽減され、素振りの回数を増やすことができるという優れた効果を発揮する。【００１０】  請求項２に記載の素振り練習器は、打撃部材が被打撃部材に衝突した際に発生する打撃音が低音で柔らかくなり良好な感触を得られるようになるという優れた効果を発揮する。
【図面の簡単な説明】
【００１１】
【図１】  本発明の素振り練習器の側面図である。
【図２】  本発明の素振り練習器用の被打撃部材の正面図である。
【図３】  本発明の素振り練習器用の被打撃部材の底面図である。
【図４】  本発明の素振り練習器用の被打撃部材に衝突する打撃部材の平面図である。
【図５】  本発明の素振り練習器の振動の伝わりを示した図である。
【図６】  前記特許文献１の素振り練習器の振動の伝わりを示した図である。
【図７】  本発明の素振り練習器のグリップの第２の実施例である。
【図８】  本発明の素振り練習器を握って素振りをしているイメージ図である。
【発明を実施するための形態】
【００１２】  以下、本発明を図面に示す実施形態図１〜図８に基づき説明をする。ただし、以下の実施するための形態は、本発明の素振り練習器用被打撃部材についての一例として説明するものであり、この説明の項に限定されるものではない。
【００１４】  図１は、本発明の素振り練習器の側面図である。被打撃部材１、被打撃部材１の外周に形成する円弧状の凹み１′、シャフト２、打撃部材３、グリップ４、素振り練習器Ａから構成される。本実施をするための形態の素振り練習器Ａは、直線状のシャフト２を有し、シャフト２の先端部に被打撃部材１、シャフト２の基端部にグリップ４をそれぞれ固定させ、被打撃部材１とグリップ４の中間にあって、移動自由にシャフト２に打撃部材３を嵌合させる。
【００１５】  図２は、本発明の素振り練習器の被打撃部材の正面図である。被打撃部材１、被打撃部材１の下部１′、下部１′に形成する凹みａ、底部ｂから構成される。被打撃部材１の下部１′の外周側面が円孤状になるように凹みを形成し、被打撃部材１の下部１′の最下部となる底部ｂの直径を最小に形成する。
【００１６】  図３は、本発明の素振り練習器の被打撃部材の底面図である。被打撃部材１の下部１′、孔５、被打撃部材の低部ｂから構成される。孔５は、シャフト２を被打撃部材１に固定させるためにあけられたものである。また、底部となるｂは、打撃部材３が衝突する部分であり、被打撃部材１の直径を被打撃部材１の中で一番小さく形成する部分である。直径を小さくすることで底部ｂの面積を小さくすることができる。
【００１７】  図４は、本発明の素振り練習器ｂの打撃部材の平面図である。打撃部材３、被打撃部材１に衝突する部分ｃから構成される。打撃部材３は振動、衝撃を吸収するゴムなどの素材で形成し、打撃部材１の衝突部分ｃと被打撃部材１の底部ｂが衝突する際の接触面積は双方とも４０パーセントから７０パーセントの間に設定し、６０パーセント前後が最も良好な感触を得ることができる。
【００１８】  図５は、本発明の素振り練習器を使用してインパクトで打撃部材が被打撃部材に衝突した際の振動の伝わりを簡略化し表したものである。打撃部材が、被打撃部材に衝突した瞬間の振動を減衰させるために、被打撃部材の下部図２−１′の表面積を広く形成している。被打撃部材の軸方向底部から上部側にかけて側面が円孤状になるように凹みを形成することで、被打撃部材の表面積を大きくすることができる。
【００１９】  また、被打撃部材１の底部ｂの面積を小さすることで、打撃部材と被打撃部材の接触面積が小さくなり、応力といわれる単位面積あたりにかかる力が大きくなる。ヤング率（弾性率）は応力÷歪みで求めることができるが、ヤング率は素材ごとに固定値であり、応力が大きくなるにつれて大きくなり、歪みが大きくなるにつれて応力、ヤング率（弾性率）も高くなる。応力は衝突する両方に同等に作用するものであり、本発明の素振り練習器用被打撃部材を取り付けた素振り練習器のインパクト時点での打撃部材と被打撃部材の応力は同等であるということである。よって、打撃部材の素材をゴムなどの柔らかいものにした場合は、ゴムの歪みが大きくなり、歪みが大きくなった分、ヤング率も高くなる結果となる。歪みが大きくなることで振動を吸収することができ、振動を吸収することでインパクト時の衝撃力、打撃音、手に伝わる感触をソフトにすることができる。
【００２０】  図６は、前記特許文献１の素振り練習器の振動の伝わりを示した図であるである。素振りをした際にインパクトで打撃部材が被打撃部材に衝突した際の振動の伝わりを簡略化し表したものである。図５と比較して振動の減衰が少なくグリップ側に戻ってくる振幅も大きい。特許文献１の被打撃部材は略円柱状であり、打撃部材と被打撃部材の接触面積は本発明の素振り練習器用の被打撃部材の底部図２−ｂと比較して大きい。また、略円柱状であるために打撃部材と被打撃部材の接触面積が大きいことで応力は本発明の被打撃部材より小さく、ヤング率（弾性率）も低くなる。よって、手に伝わる振動が本発明の素振り練習器より大きくなる。
【００２１】  図７は、本発明の素振り練習器用被打撃部材を組み立てて完成した場合のグリップの第２の実施例である。
【００２３】  図８は、本発明の素振り練習器用被打撃部材をとりつけた素振り練習器を振っているイメージ図である。この図は、インパクトで打撃部材に被打撃部材が衝突した瞬間のものであり、この素振り練習器はテークバックからインパクト、フォロースルーまでを振りぬきトレーニングをするというトレーニング用のバットである。素振りの途中インパクトの地点で打撃部材が被打撃部材に衝突し、打撃時のような衝突音を発生、振動、衝撃などの臨場感を味わいながらどこでも素振り練習ができるものである。
【００２４】  また、インパクトで打撃部材が被打撃部材に衝突した時に、打撃部材の下部１′の表面積大きくしたことと、底部ｂを小さくする形状により振動を抑えることができ
略円柱状のヘッド上部側より打撃部材が衝突する部分となるヘッドの底部の半径を打撃部材が衝突する部分より小さく形成し、更にヘッド下部の軸方向周囲を円けい弧状に削り窪みを形成し、更にヘッドの底部の半径を小さくすることで打撃部材が被打撃部材に衝突した際に発生する振動を減衰させることができ、素振りの際に手に伝わる振動が軽減される。
【産業上の利用可能性】
【００２５】  振動が軽減されることにより、ソフトな衝突音を体感しながら素振り練習がてきることと、振動が少ない分特許文献１と比較して素振りの回数を増やすことができ、トレーニングに大いに有益となる。
【符合の説明】
【００２６】  １    被打撃部材
１′  被打撃部材の下部
２    シャフト
３    打撃部材
４    グリップ
５    シャフト
６    グリップのエンド
６′  グリップ
Ａ    素振り練習器
ａ    被打撃部材の孤状の凹み
ｂ    被打撃部材の底部
ｃ    打撃部材が被打撃部材と接触する部分
【図１】
2011024964.tif 000003
【図２】
2011024964.tif 000004
【図３】
2011024964.tif 000005
【図４】
2011024964.tif 000006
【図５】
2011024964.tif 000007
【図６】
2011024964.tif 000008
【図７】
2011024964.tif 000009
【図８】
2011024964.tif 000010